(57)【要約】【課題】ドラム内の混練材料を確実に撹拌すると共に、使用後のメンテナンスも容易なコンクリートモルタルミキサー用撹拌羽根体を提供する。【解決手段】混練材料を投入するドラム５の左右側壁部７に左右一対の回転軸１０，１１を装着する。この回転軸１０，１１に一対の取付部材１２，１３を連結する。取付部材１２，１３に一対の羽根基体１４，１５を固着する。羽根基体１４，１５相互を連結する連結部材２４を設ける。取付部材１２，１３と連結部材２４とを連結する一対の補強連結部材２５，２６を設ける。ドラム５の左右側壁部７内面に摺接する側壁面摺接体２２，２３を取付部材１２，１３に設ける。左右側壁部７内面に付着している混練材料をドラム５中央がわに押出すように構成する。【選択図】  図４
0003197870.tif 000002
【実用新案登録請求の範囲】
【請求項１】
セメントと砂、水、砂利等の混練材料を投入するドラムの左右側壁部に装着された左右一対の回転軸に連結する一対の取付部材と、該取付部材に夫々固着されドラムの周壁部内周面に沿って摺動する一対の羽根基体と、これら一対の羽根基体相互をドラム内の略中央で連結する連結部材と、取付部材の基端がわ部分と連結部材の両端部近傍とを夫々連結する一対の補強連結部材とで撹拌羽根体Ａを構成し、羽根基体を、その基端部分と先端部分の回転方向に於ける位相差が回転軸線を中心として捩じれるよう配置し、一つの原動機１に一対の回転軸を同期させて撹拌羽根体を回転せしめるように構成したコンクリートモルタルミキサー用撹拌羽根体において、
前記一対の取付部材に、前記ドラムの前記左右側壁部内面に摺接する摺接ゴム板を備えた側壁面摺接体を設け、前記撹拌羽根体にて前記左右側壁部内面に付着している混練材料をドラム中央がわに押出すように構成したことを特徴とするコンクリートモルタルミキサー用撹拌羽根体。
【請求項２】
前記側壁面摺接体は、前記取付部材の前記ドラムの前記左右側壁部側に突設する支持腕と、該支持腕の先端に設けられた固定板と、該固定板の板面に重合される前記摺接ゴム板と、該摺接ゴム板を介して固定板に重合される重合板と、これら重合板から摺接ゴム板を通して固定板まで貫通する連結ネジにて摺接ゴム板が着脱自在に装着されるように構成した請求項１記載のコンクリートモルタルミキサー用撹拌羽根体。
【請求項３】
前記摺接ゴム板は、耐摩耗性ゴム板の内部中央に合成樹脂製布材が積層され、該摺接ゴム板の接触端部の長手方向を前記取付部材の長手方向に沿うように設置した請求項１又は２記載のコンクリートモルタルミキサー用撹拌羽根体。
【考案の詳細な説明】
【技術分野】
【０００１】
本考案は、主に、セメントと砂と水、或いはこれらに砂利を投入して撹拌する際に使用されるコンクリートモルタルミキサー用撹拌羽根体に関する。
【背景技術】
【０００２】
従来、モルタルやセメント等を混練する際に、タライ型のモルタルミキサーや、ポット型のコンクリートミキサー等が使用されている。いずれのミキサーも、コンクリートやモルタルの他、肥料や育苗土などを混練するなど、多目的に使用されている。そのため、これらのミキサーにて、セメント、砂、水、砂利等を混練する場合には、比較的、混練時間が長くなる不都合があった。
【０００３】
そこで当出願人は、このようなセメント、砂、水、砂利等を混練する際に、短時間で合理的に混練することができるコンクリートモルタルミキサーに於ける撹拌装置を提案している（特許文献１）。この装置は、一対の回転軸を一つの原動機によって同期回転するように構成し、この回転軸に連結した撹拌羽根体を使用することにより、セメントと砂、水、砂利等の撹拌時の移動が極めてスムーズになるように構成したものである。
【０００４】
すなわち、撹拌羽根体の羽根基体として、その基端部分と先端部分の回転方向の位相差が回転軸線を中心として捩じれるよう配置し、撹拌羽根体の端部に、ドラムの側壁部内面に当接する側壁面用羽根ゴム部を設け、ドラム端部側のセメントと砂、水、砂利等をドラム中央がわに押出すように構成することで、ドラム内のセメントと砂、水、砂利等を均一に撹拌することが可能になった。
【先行技術文献】
【特許文献】
【０００５】
【特許文献１】特許第２５６５４３０号公報
【考案の概要】
【考案が解決しようとする課題】
【０００６】
ところが、特許文献１に記載の撹拌羽根体によると、側壁面用羽根ゴム部によってドラム内のセメントと砂、水、砂利等を均一に撹拌できるようになっているが、ドラムの内側面に付着したセメント、砂、水、砂利等の混合物をこの内側面から剥がしてドラム中央がわに押出すことは困難であった。
【０００７】
そのため、ドラム内側面に付着した一部のセメント、砂、水、砂利等は混練されるまでに時間を要することになり、その分、完全に混練するまでの遅延化の原因になっていた。しかも、セメント化した状態でドラムの内側面に付着してくると、ドラム側面と側壁面用羽根ゴム部との間に溜まった付着物が撹拌羽根体の回転を妨げる抵抗体となるので、撹拌性能を低下させる虞があった。更に、ドラムの内側面にセメント等が固着すると洗浄が困難になり、使用後のメンテナンスに多くの手間を要することになる。
【０００８】
そこで、本考案は上述の課題を解消すべく案出されたもので、ドラム内の混練材料を確実に且つ効率的に撹拌すると共に、ドラムの内側面に付着する混練材料を除去することで撹拌羽根体の撹拌性能を維持することができ、しかも使用後のメンテナンスも容易なコンクリートモルタルミキサー用撹拌羽根体の提供を目的とするものである。
【課題を解決するための手段】
【０００９】
上述の目的を達成すべく本考案における第１の手段は、セメントと砂、水、砂利等の混練材料を投入するドラム５の左右側壁部７に装着された左右一対の回転軸１０，１１に連結する一対の取付部材１２，１３と、該取付部材１２，１３に夫々固着されドラム５の周壁部内周面に沿って摺動する一対の羽根基体１４，１５と、これら一対の羽根基体１４，１５相互をドラム５内の略中央で連結する連結部材２４と、取付部材１２，１３の基端がわ部分と連結部材２４の両端部近傍とを夫々連結する一対の補強連結部材２５，２６とで撹拌羽根体Ａを構成し、羽根基体１４，１５を、その基端部分と先端部分の回転方向に於ける位相差が回転軸線を中心として捩じれるよう配置し、一つの原動機１に一対の回転軸１０，１１を同期させて撹拌羽根体Ａを回転せしめるように構成したコンクリートモルタルミキサー用撹拌羽根体において、
前記一対の取付部材１２，１３に、前記ドラム５の前記左右側壁部７内面に摺接する摺接ゴム板２２Ｃを備えた側壁面摺接体２２，２３を設け、前記撹拌羽根体Ａにて前記左右側壁部７内面に付着している混練材料をドラム中央がわに押出すように構成したことにある。
【００１０】
第２の手段において、前記側壁面摺接体２２，２３は、前記取付部材１２，１３の前記ドラム５の前記左右側壁部７側に突設する支持腕２２Ａと、該支持腕２２Ａの先端に設けられた固定板２２Ｂと、該固定板２２Ｂの板面に重合される前記摺接ゴム板２２Ｃと、該摺接ゴム板２２Ｃを介して固定板２２Ｂに重合される重合板２２Ｄと、これら重合板２２Ｄから摺接ゴム板２２Ｃを通して固定板２２Ｂまで貫通する連結ネジ２２Ｅにて摺接ゴム板２２Ｃが着脱自在に装着されるように構成したものである。
【００１１】
第３の手段において、前記摺接ゴム板２２Ｃは、耐摩耗性ゴム板の内部中央に合成樹脂製布材２２Ｃａが積層され、該摺接ゴム板２２Ｃの接触端部の長手方向を前記取付部材１２，１３の長手方向に沿うように設置している。
【考案の効果】
【００１２】
本考案の請求項１に記載のごとく、一対の取付部材１２，１３に、ドラム５の左右側壁部７内面に摺接する摺接ゴム板２２Ｃを備えた側壁面摺接体２２，２３を設け、撹拌羽根体Ａにて左右側壁部７内面に付着している材料をドラム中央がわに押出すように構成したことにより、ドラムの内側面に付着した混練材料を剥がしてドラム中央がわに押出すことに成功した。この結果、ドラム内のセメントと砂、水、砂利等の混練材料を確実に且つ均一に撹拌することができる。
【００１３】
しかも、ドラム側面に付着する混練材料は常に剥がされているので、ドラム側面と側壁面用羽根ゴム部との間に混練材料が溜まる虞はなくなった。この結果、従来のように、溜まった付着物が撹拌羽根体の回転を妨げる抵抗体となり、撹拌性能を低下させるという不都合も解消された。更に、ドラムの内側面にセメント等の固着も防止できるので、使用後の洗浄が容易になり、メンテナンスも合理化することができる。
【００１４】
請求項２のごとく側壁面摺接体２２，２３を構成したことで、回転する取付部材１２，１３に摺接ゴム板２２Ｃを確実に固定することができる。しかも、この摺接ゴム板２２Ｃが摩耗した場合は、容易に交換することができる。
【００１５】
請求項３に記載のように、摺接ゴム板２２Ｃは、耐摩耗性ゴム板の内部中央に合成樹脂製布材２２Ｃａが積層され、該摺接ゴム板２２Ｃの接触端部の長手方向を取付部材１２，１３の長手方向に沿うように設置しているので、ドラムの内側面にセメント化した混練材料が付着しても、これを確実に掻き落とすことが可能になる。
【００１６】
このように本考案によると、ドラム内の混練材料を確実に且つ効率的に撹拌すると共に、ドラムの内側面に付着する混練材料を除去することで撹拌羽根体の撹拌性能を維持することができ、しかも使用後のメンテナンスも容易になるなどといった当初の目的を達成した。
【図面の簡単な説明】
【００１７】
【図１】本考案の撹拌羽根体の一実施例を示す正面図である。
【図２】本考案の側壁面摺接体の一実施例を示す斜視図である。
【図３】図２に示す矢視III-III線断面図である。
【図４】本考案の使用状態を示す正面図である。
【図５】本考案の使用状態を示す側面図である。
【考案を実施するための形態】
【００１８】
本考案は、セメントと砂、水、砂利等の混練材料を投入するドラム５の左右側壁部７に回転自在に装着された左右一対の回転軸１０，１１に連結した撹拌羽根体Ａを回転せしめるように構成したものである。そして、一つの原動機１に一対の回転軸１０，１１を同期させて撹拌羽根体Ａを回転させるものである(図４参照)。
【００１９】
この撹拌羽根体Ａは、一対の取付部材１２，１３と、該取付部材１２，１３に夫々固着されドラム５の周壁部内周面に沿って摺動する一対の羽根基体１４，１５と、これら一対の羽根基体１４，１５相互をドラム５内の略中央で連結する連結部材２４と、取付部材１２，１３の基端がわ部分と連結部材２４の両端部近傍とを夫々連結する一対の補強連結部材２５，２６とで構成している(図１参照)。そして、羽根基体１４，１５の基端部分と先端部分の回転方向に於ける位相差が回転軸線を捩じれるよう設けている。
【００２０】
更に、一対の取付部材１２，１３に、ドラム５の左右側壁部７内面に摺接する摺接ゴム板２２Ｃを備えた側壁面摺接体２２，２３を設けている(図４参照)。そして、撹拌羽根体Ａにて左右側壁部７内面に付着している混練材料をドラム中央がわに押出すように構成している。
【００２１】
側壁面摺接体２２は、支持腕２２Ａ、固定板２２Ｂ、摺接ゴム板２２Ｃ、重合板２２Ｄ、連結ネジ２２Ｅにて構成されている(図２参照)。このとき、側壁面摺接体２３においても、これら支持腕２２Ａ、固定板２２Ｂ、摺接ゴム板２２Ｃ、重合板２２Ｄ、連結ネジ２２Ｅと同じ構成を備えている(図示せず)。
【００２２】
支持腕２２Ａは、取付部材１２，１３のドラム５の左右側壁部７側に突設する固定部材である(図２参照)。固定板２２Ｂは、この支持腕２２Ａの先端に設けられた板状部材で、この固定板２２Ｂの板面に摺接ゴム板２２Ｃと重合板２２Ｄとを重合して連結ネジ２２Ｅで連結固定する。
【００２３】
この摺接ゴム板２２Ｃは、耐摩耗性ゴム板の内部中央に合成樹脂製布材２２Ｃａが積層されたゴム板で構成され、この摺接ゴム板２２Ｃの接触端部の長手方向を取付部材１２，１３の長手方向に沿うように設置している(図５参照)。更に、この摺接ゴム板２２Ｃに重合した重合板２２Ｄから摺接ゴム板２２Ｃを通して固定板２２Ｂまで貫通する連結ネジ２２Ｅにて摺接ゴム板２２Ｃを着脱自在に装着している(図３参照)。
【００２４】
図示例の撹拌羽根体Ａは、ドラム５の左右側壁部７に夫々回転自在に装着される回転軸１０，１１の先端部分に固着される一対の略帯板状の取付部材１２，１３と、この取付部材１２，１３先端にその基端部分が夫々固着されると共に、ドラム５の周壁部６内周面に沿って摺動する一対の羽根基体１４，１５と、ドラム５内略中央に配されて、一対の羽根基体１４，１５の先端寄り部分相互を連結する略帯板状の連結部材２４とを備えている(図１参照)。
【００２５】
更に、一対の取付部材１２，１３は、撹拌羽根体Ａの回転中心に対して放射方向に配設され、一対の羽根基体１４，１５は、撹拌羽根体Ａの回転方向に対して斜めに捩れるようにして配置され、連結部材２４は、撹拌羽根体Ａの回転中心に対して放射方向に配設されている（図５参照）。
【００２６】
すなわち、撹拌羽根体Ａの中心空間部分（ドラム５内中央部分）には、連結部材２４の中央部分が存在するだけの構成となり、ドラム５内に投入されたセメントと砂、水、砂利等のドラム５内中央部分に於ける撹拌時の移動がスムーズに行われるよう配慮してある(図４参照)。しかも、一対の羽根基体１４，１５夫々の先端部分は、ドラム５内略中央部分を僅かに越えるよう構成されている。そして、羽根基体１４，１５の先端部分とドラム５の側壁部７との間隔、或いは、羽根基体１４，１５の先端部分と互に他の羽根基体１４，１５の基端部分との間隔が比較的大きくなるように設定され、この部分に於けるドラム５内に投入されたセメントと砂、水、砂利等の撹拌時の移動がスムーズに行われるよう配慮してある。
【００２７】
本考案で使用する撹拌装置Ｓは、少くとも下半分は断面略円弧状である周壁部６と、この周壁部６の両側端部分を閉塞する左右側壁部７とを備えたものである(図５参照)。この撹拌装置Ｓは、一対の回転軸１０，１１をドラム５の両側壁部７からドラム５内に僅かに突出するよう配置すると共に、ドラム５の両側壁部７に回転軸１０，１１を夫々回転自在に装着する。そして、この一対の回転軸１０，１１の先端部分に撹拌羽根体Ａの両端部分を装着し、一対の回転軸１０，１１を一つの原動機１によって同期回転せしめるよう構成したものである(図４参照)。
【００２８】
撹拌羽根体Ａを駆動回転せしめるための手段（一対の回転軸１０，１１を同期回転せしめる手段）としては、例えば、原動機１（或いは、モーター）の駆動軸の駆動回転力をスプロケット２と、チェーン３を介して一方の回転軸１０に伝達すると共に、スプロケット２と、チェーン３と、ドラム５後方に横架配設される回転伝達軸４とを介して他方の回転軸１１に伝達するような構成が採用される(図４参照)。
【００２９】
ドラム５は、縦断面略Ｕ字状を呈する周壁部６と、その両側端部分を塞ぐように固着される左右側壁部７とからなる(図５参照)。そして、周壁部６の一部に、撹拌混練したコンクリートモルタルを吐出する吐出口を開口すると共に、この吐出口を開閉自在な開閉蓋を付設する(図示せず)。
【００３０】
尚、本考案において、図示の構成に限定されるものではなく、撹拌羽根体Ａや撹拌装置Ｓの具体的構成等は、本考案の要旨を変更しない範囲での設計変更は自由に行える。また、本考案の使用例も限定されるものではない。
【符号の説明】
【００３１】
Ｓ  撹拌装置
１  原動機
２  スプロケット
３  チェーン
４  回転伝達軸
５  ドラム
６  周壁部
７  側壁部
Ａ  撹拌羽根体
１０  回転軸
１１  回転軸
１２  取付部材
１３  取付部材
１４  羽根基体
１５  羽根基体
１６  羽根ゴム取付片
１７  羽根ゴム取付片
１８  羽根ゴム
１９  羽根ゴム
２０  押え片
２１  押え片
２２  側壁面摺接体
２２Ａ  支持腕
２２Ｂ  固定板
２２Ｃ  摺接ゴム板
２２Ｃa  合成樹脂製布材
２２Ｄ  重合板
２２Ｅ  連結ネジ
２３  側壁面摺接体
２４  連結部材
２５  補強連結部材
２６  補強連結部材
【図１】
0003197870.tif 000003
【図２】
0003197870.tif 000004
【図３】
0003197870.tif 000005
【図４】
0003197870.tif 000006
【図５】
0003197870.tif 000007